(57)【要約】【課題】キャップの開蓋動作を行うだけで、密閉状態の内筒の下蓋を簡単に開口することができるボトルキャップ構造体を提供する。【解決手段】ボトルの飲み口部の外周部に螺合されるキャップを有したボトルキャップ構造体である。ボトルの飲み口部に内筒が嵌入され、その内部空間に経口固形物が収納される。内筒の下端部の内周面に、経口固形物が載置される通水性を有した多孔載置板が固定される。下蓋は内筒の下側開口を開閉する。内筒の内部空間に配置された下側開口手段は、開蓋時のキャップの回転により、下蓋を移動して内筒の下側開口を開く。【選択図】図１
2017206276.tif 000002
【特許請求の範囲】
【請求項１】
ボトルの飲み口部の外周部に螺合されるキャップを有したボトルキャップ構造体において、
前記ボトルの飲み口部に嵌入され、内部空間に経口固形物が収納される内筒と、
該内筒の下端部の内周面に固定され、前記経口固形物が載置される通水性を有した多孔載置板と、
前記内筒の下側開口を開閉自在に封止する下蓋と、
前記内筒の内部空間に配置され、開蓋時の前記キャップの回転により、前記下蓋を移動して前記内筒の下側開口を開く下側開口手段とを備えたボトルキャップ構造体。
【請求項２】
前記下側開口手段は、
前記内筒の内部空間に配置され、かつ開蓋時、前記内筒の下側開口から前記下蓋を突き落としてこれを開口する下蓋突きピンと、
前記内筒の内部空間に配置され、かつ前記下蓋突きピンを、常時、前記下蓋の方向へ付勢するばね材と、
前記キャップの上板の下側のうち、閉蓋時に前記下蓋突きピンの上端部と対峙する部分に設けられ、前記ばね材の付勢力に抗して前記キャップの上板の付近に配置された前記下蓋突きピンの上端部を掛止するピンストッパとを有し、
開蓋時、前記キャップの開蓋方向への回動に伴い、前記ピンストッパが前記下蓋突きピンの上端部から外れた状態で、前記ばね材の付勢力により、前記下蓋突きピンが下方へ突出し、前記下蓋を前記内筒の下側開口から突き落す請求項１に記載のボトルキャップ構造体。
【請求項３】
前記内筒は、プラスチックからなり、かつその外径が前記ボトルの飲み口部の内径と同一またはそれより大きいとともに、前記内筒を縦割りにした複数の内筒分割片板と、隣り合う内筒分割片板同士を一体的に連結して前記内筒を縮径可能とする複数の縮径用樹脂ヒンジとを有した請求項１または請求項２に記載のボトルキャップ構造体。
【発明の詳細な説明】
【技術分野】
【０００１】
この発明は、ボトルキャップ構造体、詳しくは開蓋時、ボトルの飲み口部に密封された経口固形物をボトル内の飲料水（清涼飲料水を含む）とともに服用可能なボトルキャップ構造体に関する。
【背景技術】
【０００２】
例えば、医者が処方した錠剤（経口固形物）を、ペットボトルの飲料水により服用する場合、使用者はペットボトルと錠剤とを別々に保管しなければならない。面倒である。
それを解消する従来技術として、例えば特許文献１の「飲料用ボトル容器」が知られている。これは、飲料ボトル容器本体（ボトル）の飲み口部にキャップを設け、飲み口部の内側に小容器本体（内筒）を設け、小容器本体の底部に網ガード（多孔載置板）を設け、小容器本体の下端開口を塞ぐ下蓋を設け、小容器本体の内側に開栓棒を設けたものである。
使用に際しては、あらかじめ網ガードに錠剤を載置してキャップを閉めておく。服用時には、キャップを外して開栓棒により下蓋を突き落とし、小容器本体の下部を開口する。その後、飲み口部を口に含み、網ガード上の錠剤を飲料水とともに服用する。
【先行技術文献】
【特許文献】
【０００３】
【特許文献１】特開２０１０−１８２８１号公報
【発明の開示】
【発明が解決しようとする課題】
【０００４】
しかしながら、特許文献１の「飲料用ボトル容器」にあっては、開蓋後、使用者が開栓棒を摘まみ、この開栓棒により下蓋を突き落とさなければならず、その作業が煩わしかった。
【０００５】
そこで、発明者は鋭意研究の結果、開栓時のキャップの回転により下蓋を移動し、内筒の下側開口を開くようにすれば、上述した課題は解消されることを知見し、この発明を完成させた。
【０００６】
すなわち、この発明は、キャップの開蓋（開栓）動作を行うだけで、密閉状態の内筒の下側開口を簡単に開くことができ、その後、ボトルの飲み口部に封入された経口固形物をボトル内の飲料水とともに服用できるボトルキャップ構造体を提供することを目的としている。
【課題を解決するための手段】
【０００７】
請求項１に記載の発明は、ボトルの飲み口部の外周部に螺合されるキャップを有したボトルキャップ構造体において、前記ボトルの飲み口部に嵌入され、かつ内部空間に経口固形物が収納される内筒と、該内筒の下端部の内周面に固定され、かつ前記経口固形物が載置される通水性を有した多孔載置板と、前記内筒の下側開口を開閉自在に封止する下蓋と、前記内筒の内部空間に配置され、かつ開蓋時の前記キャップの回転により、前記下蓋を移動して前記内筒の下側開口を開く下側開口手段とを備えたボトルキャップ構造体である。
【０００８】
請求項１に記載の発明によれば、あらかじめ多孔載置板に経口固形物を載置し、キャップを閉めておく。経口固形物の服用時、キャップを外す動作で下側開口手段が作動し、開蓋時のキャップの回転により下蓋を移動して内筒の下側開口を開く。
その後は、飲み口部を口に含み、多孔載置板に載置された経口固形物を飲料水とともに服用する。
このように、内筒に下側開口手段を設けたことにより、キャップの開蓋動作を行うだけで、密閉状態の下蓋を移動して簡単に内筒の下側開口を開けることができる。
【０００９】
ここでいうボトルキャップ構造体とは、ボトルの飲み口部に嵌入された内筒に収納された経口固形物を、ボトル内の飲料水とともに服用することができるものである。
ボトルとしては、ペットボトル、金属ボトル、ガラス瓶などである。
キャップの素材としては、例えば、各種のプラスチック、各種の金属などを採用することができる。
経口固形物としては、飲料水とともに経口可能な固形物であれば任意である。例えば各種の医薬品、各種の健康食品、各種の食品などが挙げられる。
【００１０】
経口固形物の形状は任意である。例えば各種の錠剤、各種のカプセルなどが挙げられる。
内筒の素材としては、例えば各種のプラスチック、各種の金属などである。
内筒の形状は任意で、例えば円筒状、角筒状などである。
多孔載置板としては、例え金網、プラスチックネットなどを採用することができる。
下蓋の素材は任意である。例えば各種のプラスチック、各種の金属などを採用することができる。下蓋と内筒とは、一般的に分離可能な別体であるが、分離不能に設けてもよい。別体の場合、内筒の下側開口の密封性を高めるため、下蓋の下側開口との当接部にはシール材を介在させた方が好ましい。また、分離不能な一体物の場合、下側開口手段により開かれる専用の開口が下蓋に必要となる。
【００１１】
下側開口手段の構造は、開蓋時のキャップの回転に基づいて下蓋を移動して内筒の下側開口を開けることができる構造で柄あれば任意である。例えば、キャップの開蓋方向への回動（回転）に伴い、キャップの上板の下側（内側）に固定したピンストッパが下蓋突きピンの上端部から外れることで、ばね材の付勢力により下蓋突きピンが下方へ突出し、下蓋を内筒の下側開口から突き落すものでもよい。
その他、キャップの上板の外周部と、下蓋の外周部とを連結線材（糸または紐）により連結することで、キャップの開蓋方向への回動に伴いキャップが上方移動することで、下蓋の一端部が引き上げられ、内筒の下側開口が開くものでもよい。
【００１２】
また、別のボトルキャップ構造体として、例えば下記のものを採用してもよい。
すなわち、「前記内筒は、外側部分内筒と、該外側部分内筒に収納され、かつ前記内筒の軸線を中心にして回動可能な内側部分内筒とからなる２層構造体で、前記下蓋は、前記外側部分内筒の下側開口部に固定され、かつ所定数の外側部分開口が一部に形成された外側部分下蓋と、前記内側部分内筒の下側開口部に固定され、かつ前記外側部分開口と連通可能な所定数の内側部分開口が一部に形成された内側部分下蓋とを有して、前記外側部分下蓋の上側に前記内側部分下蓋を面接触状態で重ね合わせたもので、前記下側開口手段は、前記内側部分内筒の上側開口部に設けられた第１の掛止体と、前記キャップの上板の下側に設けられ、かつ前記キャップが、前記飲み口部を密閉する閉蓋完了位置と、該閉蓋完了位置から開蓋方向へ角度αだけ離間した掛止部掛脱開始位置との間に在るときのみ前記第１の掛止体に掛止される第２の掛止体とを有し、前記角度αは、互いに連通状態とした前記所定数の外側部分開口と前記所定数の内側部分開口とを、前記キャップの回動に伴って、それらと対峙する内側部分下蓋または外側部分下蓋により密閉可能な３０°〜１８０°としたボトルキャップ構造体」である。
【００１３】
この別のボトルキャップ構造体の使用に際しては、閉蓋時、キャップが掛止部掛脱開始位置に到達したとき、キャップの第２の掛止体が内側部分内筒の第１の掛止体に掛止される。これにより、その後、キャップが閉蓋完了位置に達するまで、キャップの閉蓋方向への回動（らせん軌道での回動）に伴い、内側部分内筒のみが内筒の軸線を中心にして角度αだけ回動する。この回動が進むにしたがって、内側部分開口と外側部分開口との連通領域が徐々に減少する。すなわち、外側部分開口が内側部分下蓋によって徐々に閉じられると同時に、内側部分開口が外側部分下蓋により徐々に閉じられる。その後、キャップが閉蓋完了位置に達した時、外側部分開口と内側部分開口とは完全に閉蓋される。
【００１４】
一方、開蓋時には、キャップの開蓋方向への回動に伴い、キャップが閉蓋完了位置から掛止部掛脱開始位置に達するまでの間、内側部分内筒が内筒の軸線を中心にして、キャップの開蓋方向へ徐々に回動する。これにより、外側部分開口および内側部分開口が徐々に開き、その後、キャップが掛止部掛脱開始位置を通過した時、第１の掛止体と第２の掛止体との掛止状態が解除され、外側部分開口と内側部分開口とは、重なり合う面積が最大の連通状態となる。この状態は、キャップを飲み口部から外した後も維持されるため、その後、内筒に収納された経口固形物を、連通状態の外側部分開口と内側部分開口とを通してボトル内の飲料水とともに飲むことができる。
このように、このボトルキャップ構造体は、上述した簡単な構造でありながら、キャップを開閉操作するだけで、内筒の下側の開口を開くだけでなく、これを閉じることもできる。
【００１５】
外側部分開口と内側部分開口との各形成数は、これらが対配置であれば１つずつでも、複数ずつでもよい。複数の場合、外側部分開口と内側部分開口とは、対応する部分下蓋の周方向に一定ピッチで形成されるものとする。また、外側部分開口と内側部分開口との形状やサイズは、同一形状でかつ同一サイズであれば任意である。
外側部分開口の形成位置は、キャップが、閉蓋完了位置と掛止部掛脱開始位置との間に在るときのみ、外側部分開口が形成された外側部分下蓋と対峙する内側部分下蓋によって、この外側部分開口が閉蓋される外側部分下蓋の位置とする。なお、キャップが閉蓋完了位置に達した時には、内側部分下蓋によって外側部分開口の全部が閉蓋され、またキャップが掛止部掛脱開始位置に達した時には、内側部分下蓋により外側部分開口の一端のみが閉蓋される。
【００１６】
また、内側部分開口の形成位置は、キャップが、閉蓋完了位置と掛止部掛脱開始位置との間に在るときのみ、内側部分開口が形成された内側部分下蓋と対峙する外側部分下蓋によって、この内側部分開口が閉蓋される内側部分下蓋の位置とする。なお、キャップが閉蓋完了位置に達した時、外側部分下蓋によって内側部分開口の全部が閉蓋され、またキャップが掛止部掛脱開始位置に配置された時、外側部分下蓋によって内側部分開口の一端のみが閉蓋される。
角度αは、内筒の周方向における閉蓋完了位置と掛止部掛脱開始位置との離間角度である。角度αが３０°未満であれば、小さい離間角度に合わせて、外側部分開口および内側部分開口の口径が小さくなり、経口固形物を飲み込む際、飲料水の流出量が少なすぎて経口固形物を飲み込みにくくなる。また、角度αが１８０°を超えれば、離間角度が大きすぎて、閉蓋完了位置にキャップが到達しても、外側部分開口および内側部分開口を密閉できない。
第１の掛止体および第２の掛止体の形状（構造）は任意である。例えば、これらの一方を凸部、他方を凹部としてもよい。その他、単なる摩擦係数が高い平坦面部またはエンボス加工部（凹凸面部）でもよい。第１の掛止体および第２の掛止体の形成数も任意である。
【００１７】
請求項２に記載の発明は、前記下側開口手段は、前記内筒の内部空間に配置され、かつ開蓋時、前記内筒の下側開口から前記下蓋を突き落としてこれを開口する下蓋突きピンと、前記内筒の内部空間に配置され、かつ前記下蓋突きピンを、常時、前記下蓋の方向へ付勢するばね材と、前記キャップの上板の下側のうち、閉蓋時に前記下蓋突きピンの上端部と対峙する部分に設けられ、かつ前記ばね材の付勢力に抗して前記キャップの上板の付近に配置された前記下蓋突きピンの上端部を掛止するピンストッパとを有し、開蓋時、前記キャップの開蓋方向への回動に伴い、前記ピンストッパが前記下蓋突きピンの上端部から外れた状態で、前記ばね材の付勢力により、前記下蓋突きピンが下方へ突出し、前記下蓋を前記内筒の下側開口から突き落す請求項１に記載のボトルキャップ構造体である。
【００１８】
請求項２に記載の発明によれば、閉蓋時、キャップの開蓋方向への回動に伴い、ピンストッパが下蓋突きピンの上端部から外れ、ばね材の付勢力によって下蓋突きピンが下方へ突出し、下蓋を内筒の下側開口から突き落すことができる。これにより、密閉状態の内筒の下蓋を確実に開口することができる。
【００１９】
下蓋突きピンの素材としては、例えば各種のプラスチック、各種の金属などを採用することができる。
下蓋突きピンとしては、断面が円形の丸棒、断面が三角形以上の角棒などを採用するこができる。
ばね材の種類は限定されない。例えばコイルばね、板ばねなどを採用することができる。
ピンストッパの素材としては、例えば各種のプラスチック、各種の金属などを採用することができる。
ピンストッパの形状は任意である。例えば側面視してＬ字状、横Ｕ字状などを採用することができる。
「キャップの上板の下側のうち、閉蓋時に下蓋突きピンの上端部と対峙する部分」とは、キャップを緩みなく飲み口部に螺合した状態において、キャップの上板（天板）の下側（内面）のうち、下蓋突きピンの上端部と対峙する箇所をいう。
【００２０】
請求項３に記載の発明は、前記内筒は、その外径が前記ボトルの飲み口部の内径と同一またはそれより大きいプラスチック材で、前記内筒は、該内筒を縦割りした複数の内筒分割片板と、隣り合う内筒分割片板同士を一体的に連結し、かつ前記内筒の飲み口部への嵌入時、前記内筒を縮径するための複数の縮径用樹脂ヒンジとからなる請求項１または請求項２に記載のボトルキャップ構造体ある。
【００２１】
請求項３に記載の発明によれば、内筒の飲み口部への嵌入時には、指先で内筒を外方から押圧する。これにより、各縮径用樹脂ヒンジが湾曲し、隣り合う内筒分割片板がそれぞれ近接して内筒が縮径する。その後、この状態を保持して内筒を飲み口部に差し込み、そこで指を放すことによって、各縮径用樹脂ヒンジが元の状態に戻り、内筒が拡径して飲み口部に嵌着される。
これにより、外径がボトルの飲み口部の内径と同一またはそれより大きくても、容易に飲み口部に内筒を嵌入することができる。
【００２２】
内筒は、その外径がボトルの飲み口部の内径と同一でもよいし、それより大きくてもよい。
内筒分割片板の形状は、内筒を縦割りしたものであれば任意である。
内筒の内筒分割片板による分割数は、２つ以上であれば任意である。各内筒分割片板は同一形状でも異なる形状でもよい。
縮径用樹脂ヒンジとは、内筒と同一素材からなる薄肉なプラスチック製のヒンジである。
【発明の効果】
【００２３】
請求項１に記載の発明にあっては、あらかじめ多孔載置板に錠剤などの経口固形物を載置してキャップを閉めておけば、キャップを開いて経口固形物を服用する際、キャップの回転により下蓋が移動し、内筒の下側開口が開く。これにより、キャップの開蓋動作を行うだけで、密閉状態の内筒の下蓋を簡単に開口することができる。
その後は、飲み口部を口に含み、多孔載置板に載置された錠剤を飲料水とともに服用する。
【００２４】
特に、請求項２に記載の発明によれば、閉蓋時、キャップの開蓋方向への回動に伴い、ピンストッパが下蓋突きピンの上端部から外れる。この時、ばね材の付勢力により下蓋突きピンが下方へ突出し、下蓋を内筒の下側開口から突き落す。これにより、密閉状態の内筒の下蓋を確実に開口することができる。
【００２５】
また、請求項３に記載の発明によれば、内筒の飲み口部への嵌入時、指先により内筒を外方から押圧することで、各縮径用樹脂ヒンジが湾曲し、隣り合う内筒分割片板がそれぞれ近接して内筒が縮径する。この状態のままで内筒を飲み口部に差し込んだ後、内筒から指を放すことにより、各縮径用樹脂ヒンジが元の状態に戻り、内筒が拡径して飲み口部に嵌着される。
これにより、外径がボトルの飲み口部の内径と同一またはそれより大きくても、容易に飲み口部に内筒を嵌入することができる。
【図面の簡単な説明】
【００２６】
【図１】この発明の実施例１に係るボトルキャップ構造体の使用状態を示す縦断面図である。
【図２】この発明の実施例１に係るボトルキャップ構造体の使用状態を示すボトル全体斜視図である。
【図３】（ａ）この発明の実施例１に係る他のボトルキャップ構造体の一部を構成する別の内筒の斜視図である。（ｂ）この別の内筒の縮径状態を示す斜視図である。
【図４】この発明の実施例１に係るボトルキャップ構造体であって、ばね収納筒を省略した別の態様のものを示す縦断面図である。
【図５】この発明の実施例１に係るボトルキャップ構造体の一部を構成する下蓋突きピンの頭部のピンストッパによる掛止状態を示す要部拡大斜視図である。
【図６】この発明の実施例２に係るボトルキャップ構造体の使用状態を示す縦断面図である。
【図７】この発明の実施例２に係るボトルキャップ構造体の一部を構成する下蓋の開蓋状態を示す縦断面図である。
【図８】この発明の実施例３に係るボトルキャップ構造体の分解斜視図である。
【図９】（ａ）この発明の実施例３に係るボトルキャップ構造体において、キャップが閉蓋完了位置に到達した状態を示す縦断面図である。（ｂ）このキャップが掛止部掛脱開始位置を通過した状態を示す縦断面図である。
【図１０】（ａ）この発明の実施例３に係るボトルキャップ構造体において、キャップが閉蓋完了位置に到達したときの下蓋の状態を示す要部拡大平面図である。（ｂ）このキャップが掛止部掛脱開始位置を通過したときの下蓋の状態を示す要部拡大平面図である。
【発明を実施するための形態】
【００２７】
以下、この発明の実施例を、図面を参照して具体的に説明する。ここでは、経口固形物として医者が使用者に処方した錠剤を例に説明する。
【実施例】
【００２８】
図１および図２において、１０はこの発明の実施例１に係るボトルキャップ構造体で、このボトルキャップ構造体１０は、ボトル１１の飲み口部１２の外周部に螺合されるキャップ１３と、ボトル１１の飲み口部１２に嵌入され、かつ内部空間に錠剤（経口固形物）１４が収納される内筒１５と、内筒１５の下端部の内周面に固定され、かつ錠剤１４が載置される通水性を有した金網（多孔載置板）１６と、内筒１５の下側開口１５ａを開閉自在に封止する下蓋１７と、内筒１５の内部空間に配置され、かつ開蓋時のキャップ１３の回転により、下蓋１７を移動して内筒１５の下側開口１５ａを開く下側開口手段１８とを備えている。
【００２９】
以下、これらの構成体を具体的に説明する。
ボトル１１は２００ｍｌのミネラルウォータが充填された小型のペットボトルである。
ボトル１１の上端には、外周部に外ねじ１２ａが形成された飲み口部１２がボトル１１と同一素材により一体成形されている。
キャップ１３はポリプロピレンからなり、その内周部に外ねじ１２ａに螺合する内ねじ１３ａが形成されている。
内筒１５は、全長にわたって同一径のポリプロピレンからなる円筒体である。内筒１５の外径は飲み口部１２の内径より若干大きく、かつ内筒１５の長さは飲み口部１２の長さより若干長いである。内筒１５の上端縁には、外フランジ１９が一体形成されている。外フランジ１９は、内筒１５を飲み口部１２に嵌入する際のストッパとなる。
【００３０】
なお、この内筒１５に代えて、内筒１５を４５°ピッチで縦割りした８つの内筒分割片板１５ｂと、隣り合う内筒分割片板１５ｂ同士を一体的に連結し、かつ内筒１５の飲み口部１２への嵌入時、内筒１５を縮径するための８つの縮径用樹脂ヒンジ１５ｃとからなる拡縮自在な別の内筒１５Ａを採用してもよい（図３（ａ））。
別の内筒１５Ａは、飲み口部１２への嵌入時、指先により内筒１５Ａを外方から押圧することで、各縮径用樹脂ヒンジ１５ｃが湾曲し、隣り合う内筒分割片板１５ｂがそれぞれ近接して内筒１５Ａが縮径する（図３（ｂ））。その後、この縮径状態のまま、内筒１５Ａを飲み口部１２に差し込み、その位置で指先を放すことで、各縮径用樹脂ヒンジ１５ｃが元の状態に戻り、内筒１５Ａが拡径して飲み口部１２に内嵌される。これにより、内筒１５Ａをボトル１１の飲み口部１２に、簡単に嵌入することができる。
【００３１】
金網１６は内筒１５の内径と同一直径の円形ネットである。金網１６の外周部の一部には、小孔１６ａが形成されている。この小孔１６ａに、後述する細長いばね収納筒２０の下端部が嵌入される。
錠剤１４は、医者が処方した円形状の固形の製剤である。ここでは３個を服用するものとする。
内筒１５の下端部の内周面には、内筒１５の下側開口１５ａと平行な１条の環状溝１５ｄが周設されている。この環状溝１５ｄには、内筒１５の下側開口１５ａを封止する下蓋１７の外周部が着脱可能に嵌入されている。下蓋１７は、ポリプロピレンからなる円板である。なお、下蓋１７による封止力を高めるため、環状溝１５ｄの奥部または下蓋１７の外周縁に図示しないシール材を周設してもよい。
【００３２】
次に、図１，図２，図４および図５を参照して、下側開口手段１８を具体的に説明する。
図１および図２に示すように、下側開口手段１８は、内筒１５の内部空間に配置され、かつ開蓋時、内筒１５の下側開口１５ａから下蓋１７を突き落とす下蓋突きピン２１と、内筒１５の内部空間に配置され、かつ下蓋突きピン２１を、常時、下蓋１７の方向へ付勢するコイルばね（ばね材）２２と、キャップ１３の上板１３ｂの下側（内側）のうち、閉蓋時に下蓋突きピン２１の頭部（上端部）２１ａと対峙する部分に設けられ、かつコイルばね２２の付勢力に抗してキャップ１３の上板１３ｂ近くに配置された下蓋突きピン２１の頭部２１ａを掛止するピンストッパ２３とを有している。
【００３３】
以下、これらの構成体を具体的に説明する。
図１に示すように、下蓋突きピン２１は、内筒１５の長さと略同じ長さの金属からなる細い丸棒である。下蓋突きピン２１の上端には、円板状に潰れた頭部２１ａが一体形成されている。また、下蓋突きピン２１の頭部２１ａ付近には膨出部２１ｂが一体形成されている。この膨出部２１ｂに、コイルばね２２の上端部を引っかけるばね掛止孔２１ｃが形成されている。
コイルばね２２は、下蓋突きピン２１の約半分の長さを有した細長いもので、その上端部が下蓋突きピン２１のばね掛止孔２１ｃに掛止され、かつその下端部がばね収納筒２０の下端部に掛止されている。
ばね収納筒２０は、内筒１５の略３分の２の長さを有し、かつ下蓋突きピン２１より若干大径なポリプロピレンからなる円筒体である。ばね収納筒２０の上端および下端には、コイルばね２２がばね収納筒２０から飛び出さないように、上下一対の内フランジ２０ａが形成されている。ばね収納筒２０は、内筒１５の内周壁の一部に分離不能に固定されている。なお、ばね収納筒２０は省略してもよい（図４）。
また、ピンストッパ２３は、平面視して略扇形で、かつ側面視してＬ字形のポリプロピレンからなる部材で、キャップ１３の上板１３ｂと一体的に形成されている（図１および図５）。
【００３４】
次に、図１，図２，図４および図５を参照して、この発明の実施例１に係るボトルキャップ構造体１０の使用方法を説明する。
図１，図２および図５に示すように、あらかじめミネラルウォータが入ったボトル１１の飲み口部１２に、錠剤１４が入った内筒１５を嵌入し、キャップ１３を閉めておく。このとき、下蓋突きピン２１は、コイルばね２２のばね力に抗して上方へ引き上げられ、頭部２１ａがピンストッパ２３に掛止されているものとする。
錠剤１４の服用時、キャップ１３を外す際に下側開口手段１８が作動し、下蓋１７により密閉された内筒１５の下側開口１５ａが開口される。すなわち、閉蓋時、キャップ１３の開蓋方向への回動に伴い、ピンストッパ２３が下蓋突きピン２１の頭部２１ａから外れる。この時、コイルばね２２の付勢力により下蓋突きピン２１が下方へ突出し、下蓋１７を内筒１５の下側開口１５ａから突き落す（図５）。
その後、飲み口部１２を口に含み、ボトル１１を上方へ傾けることで、金網１６に載置された錠剤１４をミネラルウォータとともに服用することができる。
【００３５】
このように、内筒１５の内部空間に下側開口手段１８を設けたことにより、キャップ１３の開蓋動作を行うだけで、密閉状態の内筒１５の下蓋１７を簡単に開口することができる。
また、実施例１では、コイルばね２２の付勢力により下蓋突きピン２１を下方へ突出し、下蓋１７を内筒１５の下側開口１５ａから突き落すように構成したため、内筒１５の下蓋１７を確実に開口することができる。
【００３６】
次に、図６および図７を参照して、この発明の実施例２のボトルキャップ構造体１０Ａについて説明する。
図６および図７に示すように、実施例２のボトルキャップ構造体１０Ａの特徴は、実施例１の下側開口手段１８に代えて、キャップ１３の上板１３ｂの下側の外周部と、下蓋１７の上側の外周部とを、連結糸（連結線材）２４により連結した下側開口手段１８Ａを採用した点である。
連結糸２４は伸縮性が少なく強靭なプラスチック糸（釣糸）である。連結糸２４の長さは、閉蓋時のキャップ１３の上板１３ｂと下蓋１７との最短長さと略同じである。
金網１６は、下蓋１７の片持ち状態での引き上げ距離を大きくするため、内筒１５の長さ方向の中間部付近に固定されている。金網１６にはばね収納筒２０用の小孔１６ａはない。
【００３７】
開蓋時、キャップ１３の開蓋方向への回動に伴いキャップ１３がらせん軌道を描きながら上方移動することで、連結糸２４が上方へ引っ張られ、これに伴いちょうど牛乳ビンの紙蓋を開けるように下蓋１７の一端部が引き上げられ、内筒１５の下側開口１５ａが開く。
このように、下側開口手段１８Ａとして、キャップ１３の上板１３ｂの下側の外周部と下蓋１７の上側の外周部とを、連結糸２４により連結した構造のものを採用したため、下側開口手段１８Ａの構造が簡単になり、ボトルキャップ構造体１０Ａの低コスト化を図ることができる。
その他の構成、作用および効果は、実施例１と略同じであるため、説明を省略する。
【００３８】
次に、図８〜図１０を参照して、この発明の実施例３に係るボトルキャップ構造体を説明する。
図８および図９に示すように、実施例３のボトルキャップ構造体１０Ｂの特徴は、実施例１の内筒１５に代えて、外側部分内筒１５Ａと、外側部分内筒１５Ａに収納され、かつ内筒１５の軸線を中心にして回動可能な内側部分内筒１５Ｂとを有する２層構造のものを採用し、また、実施例１の下蓋１７に代えて、外側部分内筒１５Ａの下側開口部に固定された外側部分下蓋１７Ａと、内側部分内筒１５Ｂの下側開口部に固定された内側部分下蓋１７Ｂとを有するものを採用し、さらに、実施例１の下側開口手段１８に代えて、内側部分内筒１５Ｂの内側部分外フランジ１９Ｂに配設された１２個の掛止孔２５（第１の掛止体）と、キャップ１３の上板１３ｂの下側に設けられた３つの掛止突起２６（第２の掛止体）とを有する下側開口手段１８Ｂを採用した点である。
【００３９】
以下、これらの構成体を具体的に説明する。
外側部分内筒１５Ａは、飲み口部１２の内径より若干大きい外径を有する円筒体で、その下端開口部が外側部分下蓋１７Ａにより一体的に塞がれている（図８）。ただし、外側部分下蓋１７Ａの外周部には、軸線を中心して９０°ピッチで、合計４つの円形の外側部分開口１７ａが、その上下面を貫通して配設されている。また、外側部分内筒１５Ａの上側開口部には、外側部分外フランジ１９Ａが一体的に形成されている。外側部分下蓋１７Ａの上面全体には、これに面接触する内側部分下蓋１Ｂとの密閉性を高まるため、図示しないシール材が設けられている。
内側部分内筒１５Ｂは、外径が外側部分内筒１５Ａの内径と略同一の円筒体で、その下側開口部が内側部分下蓋１７Ｂにより一体的に塞がれている。ただし、内側部分下蓋１７Ｂの外周部には、軸線を中心にして９０°ピッチで、外側部分開口１７ａと同一形状、同一サイズの４つの内側部分開口１７ｂが、その上下面を貫通して配設されている。したがって、内側部分内筒１５Ｂの回動時、一対の外側部分開口１７ａと内側部分開口１７ｂとが完全に重なり合えば、残り全ての外側部分開口１７ａと内側部分開口１７ｂとが完全一致の連通状態となる（図９（ｂ），図１０（ｂ））。
【００４０】
また、内側部分下蓋１７Ｂの各内側部分開口１７ｂの形成部には、その閉蓋完了位置ａから離れる側の端部に、下向きの先端が内側部分開口１７ｂにまで達した４本の回動規制ピン２７が突設されている。これにより、内側部分内筒１５Ｂの回動領域（回動角度）は、対応する外側部分開口１７ａと内側部分開口１７ｂとが全閉または全開される約９０°に制限される。
また、内側部分内筒１５Ｂの下端部の外周側には、金網１６が固定されている。さらに、内側部分内筒１５Ｂの上側開口部には、厚肉な内側部分外フランジ１９Ｂが一体的に形成されている。内側部分外フランジ１９Ｂには、周方向に３０°ピッチで、合計１２個の小径な掛止孔２５（第１の掛止体）が、その上下面を貫通して配設されている。
【００４１】
さらに、図８および図９を参照して、下側開口手段１８Ｂを説明する。
キャップ１３の上板１３ｂの外周部の下側（下面）には、周方向に９０°ピッチで、何れかの掛止孔２５に掛止可能な合計４つの同一長さの掛止突起２６が一体的に形成されている。各掛止突起２６の長さは、飲み口部１２にねじ込中のキャップ１３が、飲み口部１２に密封状態で閉蓋される閉蓋完了位置ａよりも角度α（ここでは４５°）だけ手前となる掛止部掛脱位置ｂに到達した時、各掛止突起２６が何れかの掛止孔２５に掛止される長さである。
【００４２】
次に、図８〜図１０を参照して、この発明の実施例３に係るボトルキャップ構造体１０Ｂの使用方法を説明する。
図８および図９（ａ）に示すように、まず内側部分内筒１５Ｂに錠剤１４を収納し、ボトル１１の飲み口部１２にキャップ１３を螺合する。その操作中、ねじ込むキャップ１３が掛止部掛脱位置ｂに到達した時、キャップ１３の上板１３ｂに配された３つの掛止突起２６が、内側部分内筒１５Ｂの内側部分外フランジ１９Ｂに配された１２個の掛止孔２５の何れかに掛止される。これにより、キャップ１３が、この掛止部掛脱位置ｂから閉蓋完了位置ａに達するまでの間、キャップ１３のさらなるねじ込みに伴い、内側部分内筒１５Ｂが内筒１５の軸線を中心にして９０°だけ回動する。
【００４３】
その結果、それまで内側部分開口１７ｂと完全一致の連通状態であった外側部分開口１７ａが、内側部分下蓋１７Ｂにより徐々に閉じられる。これと同時に、内側部分開口１７ｂが外側部分下蓋１７Ａにより徐々に閉じられて行き、最終的には、キャップ１３が閉蓋完了位置ａに到達した時、外側部分開口１７ａと内側部分開口１７ｂとが完全に閉蓋され、ボトル１１は密封状態となる（図９（ａ）および図１０（ａ））。この状態は、仮にキャップ１３が９０°以上回動した場合でも、回動規制ピン２７の先端部が、外側部分開口１７ａの形成部のうち、閉蓋完了位置ａ側の端部に当接することで維持される。すなわち、過剰なキャップ１３の回動があっても、内側部分内筒１５Ｂが外側部分内筒１５Ａを連れ回りすることで、これらの部分開口１７ａ，１７ｂの完全な閉蓋状態は維持される。
【００４４】
次に、錠剤１４を服用する際には、キャップ１３を開蓋方向へ回動する。この回動に伴い、掛止孔２５および掛止突起２６が掛止状態であることから、キャップ１３が閉蓋完了位置ａから掛止部掛脱位置ｂに達するまで（回動角度は９０°）、内側部分内筒１５Ｂが内筒１５の軸線を中心にして開蓋方向へ９０°だけ回動する。
これにより、閉蓋していた外側部分開口１７ａと内側部分開口１７ｂとが徐々に開いて行き、回動中のキャップ１３が、掛止部掛脱位置ｂを通過した時、掛止孔２５と掛止突起２６との掛止状態が解除される（図９（ｂ）および図１０（ｂ））。この状態は、上述した回動規制ピン２７の作用により、キャップ１３を飲み口部１２から外した後も維持される。
これにより、その後、ボトル１１の飲み口１２を口にふくみ、内側部分内筒１５Ｂに入った錠剤１４をボトル１１内のミネラルウォータとともに服用ことができる。
以上の構成を採用したことで、簡単な構造でありながら、キャップ１３を開閉操作するだけで、外側部分開口１７ａおよび内側部分開口１７ｂを開くだけでなく、これを閉じることもできる。
その他の構成、作用および効果は、実施例１と略同じであり、説明を省略する。
【産業上の利用可能性】
【００４５】
この発明は、開蓋時、ボトルの飲み口部に密封された経口固形物をボトル内の飲料水とともに服用する技術として有用である。
【符号の説明】
【００４６】
１０，１０Ａ，１０Ｂ  ボトルキャップ構造体、
１１  ボトル、
１２  飲み口部、
１３  キャップ、
１３ｂ  上板、
１４  錠剤（経口固形物）、
１５  金網（多孔載置板）、
１５ａ  下側開口、
１５ｂ  内筒分割片板、
１５ｃ  縮径用樹脂ヒンジ、
１７  下蓋、
１８，１８Ａ，１８Ｂ  下側開口手段、
２１  下蓋突きピン、
２２  コイルばね（ばね材）、
２３  ピンストッパ。
【図１】
2017206276.tif 000003
【図２】
2017206276.tif 000004
【図３】
2017206276.tif 000005
【図４】
2017206276.tif 000006
【図５】
2017206276.tif 000007
【図６】
2017206276.tif 000008
【図７】
2017206276.tif 000009
【図８】
2017206276.tif 000010
【図９】
2017206276.tif 000011
【図１０】
2017206276.tif 000012